(57)【要約】【課題】印字ジョブにステープル処理を付加して、実行する機能を備えた画像記録装置において、ステープル針の無駄が無く、記録紙の裏面の再利用がしやすい状態で印字ジョブの中止処理を行う。【解決手段】ステープルモードで実行中の印字ジョブに対する中止指令を受付けて、所定の中止処理を実行する制御手段１を備え、この制御手段１は、受付けた中止指令に対して、実行中の印字ジョブについて、記録紙への印字を中止し、ステープル処理を行うことなく、そのまま排出させた後、その印字ジョブを消去させる【選択図】図２
2005104101.tif 000002
【特許請求の範囲】
【請求項１】
印字ジョブにステープル処理を付加して、実行する機能を備えた画像記録装置において、
ステープルモードで実行中の印字ジョブに対する中止指令を受付けて所定の中止処理を実行する制御手段を備えており、上記所定の中止処理では、実行中の印字ジョブについて、記録紙への印字を中止して、ステープル処理を行うことなく、そのまま排出させた後、その印字ジョブを消去させることを特徴とする、画像記録装置。
【請求項２】
請求項１において、
上記中止処理は、ステープルモードを自動的に解除する処理を更に含んでいる、画像記録装置。
【請求項３】
請求項１において、
上記中止処理は、ステープルモードをそのまま保持する処理を更に含んでいる、画像記録装置。
【発明の詳細な説明】
【技術分野】
【０００１】
本発明は、ステープル処理機能を備えた画像記録装置の改良に関する。
【背景技術】
【０００２】
従来のステープル機能を備えた画像記録装置では、例えばステープルモードでコピー動作中にユーザが中止指示を行った場合、中止指示の前に処理トレーに出力された記録紙は、ステープル処理してから、排出されている。また下記文献では、中止指示を行った後、中止指示前に印字、排出、積載された記録紙は除去する際にばらけないように製本処理（紙折、紙とじ等）をしてから排出することを提案している。
【特許文献１】特開２０００−１７７９１９号公報
【発明の開示】
【発明が解決しようとする課題】
【０００３】
しかしながら、ユーザーが中止指示を行った場合、印字出力された記録紙は不要であることが殆どであるので、後処理（ステープル、パンチ、紙折、紙とじ等）を行う必要性は乏しく、また後処理が施された記録紙は、そのままでは、裏面の白紙部分を再利用することができず、ステープル針を無駄にしてしまう結果にもなっていた。
【０００４】
本発明は、このような事情に鑑みてなされたものであり、ステープルモードでコピー動作中にジョブを中止した場合には、ステープル処理を行わずに、印字出力した記録紙をそのまま排出する機能を備えた、新規な画像記録装置を提供することを目的としている。
【課題を解決するための手段】
【０００５】
上記目的を達成するために提案される請求項１は、印字ジョブにステープル処理を付加して、実行する機能を備えた画像記録装置において、ステープルモードで実行中の印字ジョブに対する中止指令を受付けて、所定の中止処理を実行する制御手段を備えており、上記所定の中止処理では、実行中の印字ジョブについて、記録紙への印字を中止し、ステープル処理を行うことなく、そのまま排出させ、中止した印字ジョブを消去させることを特徴とする。
ここに、中止指令は、画像記録装置の表示操作部から特定のスイッチを操作して行うものに限られず、ネットワーク接続された通信端末器などから、印字ジョブを指定したコマンドなどの形態で送出されてもよい。
【０００６】
また、請求項２では、中止処理では、記録紙への印字を中止し、ステープル処理を行うことなく、そのまま排出させた後は、ステープルモードを自動的に解除する処理を更に含ませており、請求項３では、記録紙への印字を中止し、ステープル処理を行うことなく、そのまま排出させた後は、中止処理は、ステープルモードをそのまま保持することを特徴としている。
【発明の効果】
【０００７】
本発明の請求項１〜３に記載の画像記録装置によれば、ステープルモードで実行中の印字ジョブを中止したときには、その印字ジョブの対象となる記録紙を印字出力した後は、ステープル処理されずに排出され、更に印字ジョブは、印字ジョブのキュー待ち行列から自動的に消去される。
【０００８】
したがって、裏紙の再利用が容易となり、またステープル針も無駄に消費せずにすむ。
【０００９】
請求項２では、ステープルモードを自動的に解除でき、請求項３では、ステープルモードをそのまま保持するので、使い勝手に応じて適宜採択すればよい。
【発明を実施するための最良の形態】
【００１０】
以下に、本発明の実施の形態について説明する。
【実施例１】
【００１１】
本発明の実施例１を以下図面とともに説明する。
【００１２】
図１は、本発明の画像記録装置の要部構成の一例を示す図である。
【００１３】
なお、ここでは画像記録装置の一例としてコピー機を示しているが複合機でもよく、いずれもステープル機能を備えていればよい。
【００１４】
図中、１は以下の各部を制御するＣＰＵ等で構成された制御手段、２は通信回線への網制御を行うＮＣＵ、３は画像データをファクシミリ通信するために信号の変調・復調を行うモデム、４は制御プログラムを記憶しているＲＯＭ、５は可変情報や印字出力情報を記憶するＲＡＭ、６は液晶画面等で構成された表示部、７はテンキーや各種スイッチ、表示画面上のタッチスイッチ等で構成された操作部、８は原稿を読み取る読取部、９は画像データ等を記録紙出力するプリンタ部、１０はステープル処理を行う処理トレー１０ａを備えたステープル部である。ここで操作部７は、中止スイッチ７ａを備えている。この中止スイッチ７ａを押下すれば、動作中のジョブを中止させることができる。ここに、中止指令は、画像記録装置の操作部７から特定のスイッチ（ここでは７ａ）を操作して行うものに限られず、ネットワーク接続された通信端末器などから、印字ジョブを指定したコマンドなどの形態で送出されてもよい。
【００１５】
この画像記録装置は、ステープルモードで実行中の印字ジョブに対する中止指令を受付けて、所定の中止処理を実行する制御手段１を備えており、上記所定の中止処理では、実行中の印字ジョブについて、記録紙への印字を中止し、ステープル処理を行うことなく、そのまま排出させ、中止した印字ジョブを消去させることを特徴とする。すなわち、ステープルモードで実行中の印字ジョブを中止したときには、その印字ジョブの対象となる記録紙を印字出力した後は、ステープル処理されずに排出され、印字ジョブは、印字ジョブのキュー待ち行列から自動的に消去される。
【００１６】
中止処理では、記録紙への印字を中止し、ステープル処理を行うことなく、そのまま排出させた後は、ステープルモードを自動的に解除する構成としてもよいし、ステープルモードをそのまま保持する構成としてもよい。これによれば、ユーザの使い勝手に応じて適宜採択できる。
【００１７】
図２は、本発明の基本動作の一例を示すフローチャートである。
【００１８】
ステープルモードでジョブ実行中（１００）、中止操作されると（１０２）、印字を中止し（１０３）、処理トレーに積載された記録紙はステープル処理されず、そのまま排出トレーに排出する（１０４）。
【００１９】
例として、１０ページを一部とする原稿をステープルモードでコピー中にユーザによって中止操作された場合を説明する。１０ページ中５ページ目をコピー印字中に、中止操作されると、プリントを中止する。６ページ目で印字動作が中止状態になったとすると、処理トレー１０ａには５ページ目までの記録紙が積載されている。この５ページまでの記録紙はそのままはステープル処理することなく、排出トレー（不図示）に排出される。
【００２０】
これによれば、ステープル処理されずに排出されるので、裏紙の再利用が容易となり、またステープル針も無駄に消費せずにすむ。
【図面の簡単な説明】
【００２１】
【図１】本発明に係る画像記録装置の基本構成の一例を示す。
【図２】本発明の画像記録装置の基本動作を示すフローチャートである。
【符号の説明】
【００２２】
１      制御手段
２      ＮＣＵ
３      モデム
４      ＲＯＭ
５      ＲＡＭ
６      表示部
７      操作部
７ａ    中止スイッチ
８      読取部
９      プリンタ
１０    ステープル
１０ａ  処理トレー
【図１】
2005104101.tif 000003
【図２】
2005104101.tif 000004